(57)【特許請求の範囲】
【請求項１】
複数の分岐管が接続された基管の開口端部に装着される通線紐固定具であって、前記基管に差し込み可能とする挿入管の、外縁に基管に対する挿入管の差込量を規制するためのフランジ部を設け、後端に前記分岐管に対応する掛止番号表示部と紐掛止部とを備え、前記分岐管より繰り出される通線紐を前記紐掛止部に掛止させることで、前記通線紐の特定をなすことを特徴とする通線紐固定具。
【請求項２】
前記挿入管の延長方向に沿って切れ込みを設け、この切れ込みから前記通線紐を前記挿入管に出し入れ可能としたことを特徴とする請求項１に記載の通線紐固定具。
【発明の詳細な説明】
【０００１】
【発明の属する技術分野】
本発明は、通線紐固定具に係り、特に地中埋設管内に挿通される電話線引き込み用通線の識別をなすのに好適な通線紐固定具に関する。
【０００２】
【従来の技術】
図６は、従来の電話線の引き回し経路を示す断面図である。同図（１）に示すように、地中には複数の配管１０１（実際には９本程度）が埋設されている。そして個々の建屋に電話線１０２を接続するには、まずマンホール１０３に設けられた接続箱１０４にて配管１０１を通過する複数の電話線１０２からその一部を分岐させ、これを立ち上がり管路１０５に挿通させる。ここで当該立ち上がり管路１０５の側部には電柱１０６が立設されているので、前記立ち上がり管路１０５から引き出された電話線１０２をさらに電柱１０６へと架渉し、電柱１０６の間に設置された接続箱１０７によって個々の建屋１０８に接続をするようにしている。
【０００３】
また同図（２）に示すように、ビル１０９に代表されるような多数の電話線１０２を引き込む建屋では、マンホール１０３に設けられた接続箱１０４にて配管１０１を通過する複数の電話線１０２からその一部を分岐させた後、ビル１０９への引き込み管路１１０へと挿通させビル１０９への接続を行う方法も用いられている。なお引き込み管路１１０の途中には、ハンドホール１１１が設けられており、種々のメンテナンスが行えるようになっている。
【０００４】
しかし上記工法では、地中に配管１０１を複数本埋設しているので、その埋設に係る手間と費用がかかることが問題になっていた。そこで上記工法に代わり下記に示すフリーアクセス通線方法が提案されている。
【０００５】
図７は、従来のフリーアクセス通線方法を示した地中断面図である。同図に示すように地中には基管１１２が埋設されている。そして前記基管１１２の側部からは分岐管１１３が複数引き出され、これら分岐管１１３の先端は建屋側１１４へと延長されている。また基管１１２の端部にはハンドホール１１５が形成され、基管１１２を通過する電話線の中継点となっている。
【０００６】
このように地中に埋設される基管１１２と、この基管１１２から建屋に向かって延長される分岐管１１３とを設けるようにすれば、基管１１２の内部に複数の電話線を挿通させるとともに、分岐管１１３を用いて電話線を個々の建屋に送ることができるので、複数の配管を埋設する必要が無く、工事の手間と費用を軽減させることが可能になる。
【０００７】
なお前述の基管１１２および分岐管１１３に電話線を挿通させる作業手順は以下のようになる。
まず基管１１２から分岐管１１３に電話線を通線させる前段として、建屋側１１４からハンドホール１１５に向かって可撓性を有した通線ロッドを挿入する。そして通線ロッドの挿入により当該通線ロッドの先端がハンドホール１１５側に突出すると、この通線ロッドの先端に通線紐１１６を結び付け、今度は通線ロッドを建屋側１１４より牽引し、通線紐１１６を基管１１２から分岐管１１３に至るまで通線させておく。
【０００８】
このような後、建屋側１１４に入居があった場合には、ハンドホール１１５側の通線紐１１６に電話線牽引用となる通線ロープを結び付け、その後、建屋側１１４から通線紐１１６を牽引し、通線ロープを基管１１２から分岐管１１３に至るまで通線させる。なお通線ロープは可撓性を有しており、また電話線の牽引にも耐えられるような耐荷重特性を備えている。そして通線ロープの繰り出し位置はハンドホール１１５側に限定されることはなく、建屋側１１４であってもよい。
【０００９】
このように基管１１２から分岐管１１３に至るまで通線ロープを通線させた後は、建屋側より通線ロープに電話線を接続し、ハンドホール１１５側から通線ロープを牽引することによって、電話線を基管１１２から分岐管１１３に至るまで通線させればよい。なお通線紐１１６を通線させる場合は、ハンドホール１１５から近い側から順に通線作業を行うとともに（図中、▲１▼→▲２▼→▲３▼→▲４▼を参照）、個々の通線作業が終了した毎に、通線紐１１６を建屋側１１４とハンドホール１１５側とで引っ張り、前記通線紐１１６にテンションを与え、可能な限り通線紐１１６が管路の内壁上側につくようにし、配管内で通線紐１１６同士が絡まるのを防止するようにしている。
【００１０】
【発明が解決しようとする課題】
しかし上述した基管と分岐管とを用いた工法であっても下記に示すような問題点があった。
すなわちハンドホール１１５側に引き出される通線紐１１６は複数であり、上記工法のようにテンションを与えた状態としても図８に示すように止水栓１１７の内側に固定するためには余長をとる必要があるので、実際上通線紐１１６にテンションを与えた状態で止めることは不可能となる。そして通線紐１１６に余長を与えれば、当該通線紐１１６は基管１１２の途中で他の通線紐１１６と絡まってしまうので、止水栓１１７を基管１１２から取り外し、任意の分岐管１１３に通じる通線紐１１６を特定することが難しかった。
【００１１】
本発明は上記従来の問題点に着目し、通線紐同士に絡まりが生じず、また任意の分岐管に通じる通線紐の特定を容易に行うことができる通線紐固定具を提供することを目的とする。
【００１２】
【課題を解決するための手段】
本発明は、分岐管から繰り出される通線紐を特定できるように基管の縁に掛止させれば、他の通線紐と交わるのを防止することができるとともに、通線紐の識別を容易に行うことができるという知見に基づいてなされたものである。
【００１３】
すなわち本発明に係る通線紐固定具は、複数の分岐管が接続された基管の開口端部に装着される通線紐固定具であって、前記基管に差し込み可能とする挿入管の、外縁に基管に対する挿入管の差込量を規制するためのフランジ部を設け、後端に前記分岐管に対応する掛止番号表示部と紐掛止部とを備え、前記分岐管より繰り出される通線紐を前記紐掛止部に掛止させることで、前記通線紐の特定をなすよう構成した。
そして前記挿入管の延長方向に沿って切れ込みを設け、この切れ込みから前記通線紐を前記挿入管に出し入れ可能にすることが好ましい。
【００１４】
【作用】
上記構成によれば、紐掛止部は、挿入管の縁に設けられているので挿入管を挿通する通線紐を紐掛止部にテンションをかけて掛止させると、通線紐は挿入管および基管の内壁に接触することとなり、他の通線紐と絡まるのを防止することができる。なお挿入管には紐掛止部に対応した掛止番号表示部が設けられているので、分岐管から繰り出された通線紐の先端を対応する紐掛止部に掛止させるようにすれば、基管の端部で通線紐の対応付けが明確になる。このため基管の端部から複数の通線紐が引き出されたとしても、分岐管から繰り出された通線紐を迷うことなく特定することができる。
【００１５】
そして挿入管の延長方向に沿って切れ込みを設ければ、この切れ込みから通線紐を挿入管に出し入れすることが可能になるので、既に通線紐が挿通された配管にも装着が可能になるとともに、電話線を通線した後でも通線紐固定具を壊すことなく容易に配管から取り外すことができる。
【００１６】
なお挿入管の外縁にフランジ部を設けるようにすれば、基管の開口部より挿入管の先端を挿入させていくと、前記挿入管の外縁に設けたフランジ部が基管の開口部に接触し、基管に対する挿入管の差し込み量が規制される。このため本固定具が基管の内部に入り込んでしまうのを防止することができ、基管に対する本固定具の位置を一定に保つことができる。
【００１７】
【発明の実施の形態】
以下に本発明に係る通線紐固定具に好適な具体的実施の形態を図面を参照して詳細に説明する。
図１は、本実施の形態に係る通線紐固定具の形状を示す説明図である。同図（１）に示すように本実施の形態に係る通線紐固定具１０は、その本体が挿入管１２から構成された筒状の形態になっており、その外径は挿入対象となる基管の内径に対して僅かな隙間が形成されるだけの寸法に設定されている。また挿入管１２における外縁中央部にはフランジ部１４が設けられており、挿入管１２を前記基管に挿入させていくとフランジ部１４が基管の開口端面に接触し、前記基管に対する挿入管１２の差し込み量を規制できるようになっている。なお挿入管１２の材質は、耐食性や加工性などの観点から塩化ビニールやプラスチックなどの材質を用いるようにすることが望ましい。
【００１８】
そして挿入管１２における端面片側には、同図（２）に示すように掛止部１６が複数設けられている。前記掛止部１６は、端面に形成されたＶ字溝１８と、このＶ字溝１８の先端に形成され通線紐の外径より小さな径を有した掛止用孔２０とで構成されており、通線紐をＶ字溝１８を介して掛止用孔２０に差し込み、当該掛止用孔２０にて通線紐を締め付けにより固定するようにしている。さらに掛止部１６の近傍には、掛止番号表示部２２が設けられ、掛止部１６との対応を明確にするようになっている。なお掛止部１６と掛止番号表示部２２は、少なくとも基管に取り付けられた分岐管の本数分だけ設けられており、掛止番号表示部２２における表示は、前記分岐管の番号が示されている。そして挿入管１２を挿通する通線紐を前記挿入管１２の内壁に沿わせる目的から、基管の左右に取り付けられた分岐管に対する掛止番号表示部２２は、分岐管の引き出し方向に一致するよう左右にまとまって配置される。
【００１９】
さらに図１（２）では、掛止部１６を通線紐の外径より大きくした挿通孔２１で構成した形態も図示されている。このように掛止部１６を挿通孔２１で構成すれば、通線紐をこの挿通孔２１に通すとともに、通線紐の先端を結び、この結び目を挿通孔２１の穴径より大きくすることで通線紐の掛止を行うことができるのである。
【００２０】
また挿入管１２においては、その延長方向に沿って切れ込み２４が設けられている。そしてこの切れ込み２４を設けたことにより、当該切れ込み２４から通線紐を挿入管１２に出し入れすることが可能になるので、既に通線紐が挿通された配管にも装着が可能になるとともに、電話線を通線した後でも通線紐固定具を壊すことなく容易に配管から取り外すことができるのである。
【００２１】
このように構成された通線紐固定具１０を用いて分岐管側より繰り出された通線紐を固定する手順を説明する。
図２は、通線紐固定具を用いる基管と当該基管に取り付けられる分岐管との位置関係を示す状態図であり、図３は、基管に通線紐固定具を装着した際の形態を示す断面図である。
【００２２】
これらの図に示すように、地中には複数の電話線を挿通させるための基管２６が埋設されており、当該基管２６の側面からは複数の分岐管２８が引き出されている。そしてこれら分岐管２８における端部は地表面側へと達し、図示しない建屋側への電話線の接続を行えるようにしている。なお本実施の形態では、複数の分岐管２８に番号を付与し、個々の分岐管２８の特定を行えるようにしている（Ｌ１〜Ｌ４、Ｒ１〜Ｒ４）。また基管２６の端部には、ハンドホール３０が設けられており、基管２６を挿通する電話線の中継を行えるようにしている。
【００２３】
このように構成された基管２６と分岐管２８においては、電話線の通線前に通線紐３２を個々の分岐管２８から基管２６におけるハンドホール３０の側へと挿通させておく必要がある。そしてこの通線紐３２を分岐管２８から基管２６へと挿通させるためには、まず挿入管１２の切れ込み２４の部分に断面コ字状の防水パッキン３４を挟み込み、対抗する防水パッキン３４同士が接触するようにしておく。次いで切れ込み２４に防水パッキン３４を装着した後は、通線紐固定具１０における基管２６への差し込み部分に、防水シート３６を巻き付け、この状態を保ちつつ通線紐固定具１０を基管２６へと差し込み挿入させ、基管２６の開口部分に通線紐固定具１０を取り付ける。このように挿入管１２の差し込み部分に防水パッキン３４と防水シート３６とを取り付けるようにすれば、切れ込み２４の付き合わせ部分のシール性（密封性）が向上するとともに、挿入管１２の外壁と基管２６の内壁との間に防水シート３６が介在することとなるので止水性を確保することができる。
【００２４】
図４は、通線紐固定具に通線紐を掛止させている状態を示す作業説明図である。同図に示すように、基管２６の開口部に通線紐固定具１０を取り付けた後は、まずハンドホール３０から最も近い側の分岐管２８の開口部から通線ロッドを挿入させ、当該通線ロッドの先端を基管２６の開口部側へと繰り出す。そしてハンドホール３０から突出した通線ロッドの先端に通線紐３２を結んだ後に、前記通線ロッドを分岐管２８の開口部側より牽引し、通線ロッドを巻き取るとともに通線紐３２を基管２６から分岐管２８側へと挿通させる。このように通線紐３２を基管２６から分岐管２８側へと挿通させた後は、分岐管２８の開口部側に引き出された通線紐３２を止水栓に結び付けるとともに、当該止水栓にて分岐管２８の開口部を封止する。
【００２５】
そして止水栓にて分岐管２８の開口部を封止した後は、掛止番号表示部２２の表示をもとにハンドホール３０から最も近い側の分岐管２８に対応する掛止部１６に通線紐３２を掛止する。ここで掛止部１６はＶ字溝１８と掛止用孔２０とで構成されているので、通線紐３２をＶ字溝１８を介して掛止用孔２０に挿通させるようにすればよい。このように通線紐３２を掛止用孔２０に挿通させるようにすれば、当該掛止用孔２０は通線紐３２より小径であるため、当該通線紐３２を締め付けることができ、通線紐３２にテンションを与えた形態で保持させることができるのである。また掛止部１６が挿通孔２１である場合には、通線紐３２を前記挿通孔２１に貫通させ、通線紐３２の先端に結び目を作ることで掛止を行うようにすればよい。
【００２６】
そしてハンドホール３０に最も近い分岐管２８から繰り出される通線紐３２を掛止させた後は、次にハンドホール３０に近い分岐管２８から通線ロッドを用いて通線紐３２を通線させ、同様の作業で通線紐３２を掛止部１６に順次掛止させるようにすればよい。
【００２７】
図５は、複数の通線紐を通線紐固定具に掛止させた作業終了の状態を示す説明図である。同図に示すようにハンドホール３０の側に引き出された通線紐３２を全て通線紐固定具１０の側に掛止した後は、挿入管１２の内部に止水栓３８を入れるとともに、当該止水栓３８に取り付けられたネジ４０を回転させる。ここで止水栓３８は２枚の円盤４２とこれら円盤４２に挟まれるパッキン部材４４とで構成されているので、ネジ４０を回転させ２枚の円盤４２の間を狭めることで、パッキン部材４４が外方へとはみ出し、挿入管１２の内壁に密着する。このようにパッキン部材４４を挿入管１２の内壁に密着させることで挿入管１２の内側の止水を行うことができる。また挿入管１２の外側には、あらかじめ防水シート３６が巻き付けられているので、この防水シートが挿入管１２の外側と基管２６の内壁との間に介在することとなり、挿入管１２の外側においても止水を行うことができるのである。
【００２８】
そして任意の分岐管２８の先端における建屋に入居があった際には、掛止番号表示部２２の表示をもとに通線紐３２を特定し、この通線紐３２にハンドホール３０側より電話線を取り付け、分岐管２８側へと牽引するようにすればよく、通線紐３２の特定が容易になることから通線作業の効率向上を図ることが可能になる。
【００２９】
【発明の効果】
以上説明したように本発明によれば、複数の分岐管が接続された基管の開口端部に装着される通線紐固定具であって、前記基管に差し込み可能とする挿入管の、外縁に基管に対する挿入管の差込量を規制するためのフランジ部を設け、後端に前記分岐管に対応する掛止番号表示部と紐掛止部とを備え、前記分岐管より繰り出される通線紐を前記紐掛止部に掛止させることで、前記通線紐の特定をなしたことから、通線紐同士に絡まりが生じず、また任意の分岐管に通じる通線紐の特定を容易に行うことが可能になる。
【図面の簡単な説明】
【図１】本実施の形態に係る通線紐固定具の形状を示す説明図である。
【図２】通線紐固定具を用いる基管と当該基管に取り付けられる分岐管との位置関係を示す状態図である。
【図３】基管に通線紐固定具を装着した際の形態を示す断面図である。
【図４】通線紐固定具に通線紐を掛止させている状態を示す作業説明図である。
【図５】複数の通線紐を通線紐固定具に掛止させた作業終了の状態を示す説明図である。
【図６】従来の電話線の引き回し経路を示す断面図である。
【図７】従来のフリーアクセス通線方法を示した地中断面図である。
【図８】管内における通線紐の形態を示す説明図である。
【符号の説明】
１０………通線紐固定具、１２………挿入管、１４………フランジ部、
１６………掛止部、１８………Ｖ字溝、２０………掛止用孔、
２１………挿通孔、２２………掛止番号表示部、２４………切れ込み、
２６………基管、２８………分岐管、３０………ハンドホール、
３２………通線紐、３４………防水パッキン、３６………防水シート、
３８………止水栓、４０………ネジ、４２………円盤、
４４………パッキン部材、
１０１………配管、１０２………電話線、１０３………マンホール、
１０４………接続箱、１０５………管路、１０６………電柱、
１０７………接続箱、１０８………建屋、１０９………ビル、
１１０………引き込み管路、１１１………ハンドホール、１１２………基管、
１１３………分岐管、１１４………建屋側、１１５………ハンドホール、
１１６………通線紐、１１７………止水栓
【図１】
0003571275.tif 000002
【図２】
0003571275.tif 000003
【図３】
0003571275.tif 000004
【図４】
0003571275.tif 000005
【図５】
0003571275.tif 000006
【図６】
0003571275.tif 000007
【図７】
0003571275.tif 000008
【図８】
0003571275.tif 000009